(57)【特許請求の範囲】
【請求項１】
洗髪用水タンク、汚水溜タンク、シャンプボール保持具及びシャンプボールを台車に備えた洗髪車において、洗髪用水タンク、汚水溜タンク及びシャンプボールを、それぞれ合成樹脂で以て回転成形又はブロー成形にて一体成形したもので構成し、シャンプボール保持具を、台車に水平に設けた角パイプで以て構成したガイドレールに横方向に移動可能に嵌挿支持した保持具と、該保持具に高さ調整可能に固定するようにした両脚部を備えた逆Ｕ字形の昇降フレームと、該昇降フレームの両脚部の下部位置に固定し、シャンプボールの外壁の外径より小径に形成したスカート部を旋回及び取り外し可能に保持する環状のシャンプボール受けとで構成したことを特徴とする洗髪車。
【請求項２】
台車を、下部にキャスターを備えたハンドル兼用の本体フレームと、下部にキャスターを備え、内部に汚水溜タンクを一体に形成した外装フレームとで構成したことを特徴とする請求項１記載の洗髪車。
【請求項３】
シャンプボールに傾倒防止用のステーをシャンプボールのスカート部に出納可能に配設したことを特徴とする請求項１又は２記載の洗髪車。
【発明の詳細な説明】
【０００１】
【発明の属する技術分野】
本発明は、洗髪車に関し、特に、起き上がることが困難な寝たきりの入院患者や老人等（本明細書において、「患者」という。）の洗髪を行うための洗髪車に関するものである。
【０００２】
【従来の技術】
従来、患者の洗髪をベットの上又はベットの近傍で行う場合、移動可能な洗髪車を用いて行うようにしている。
この洗髪車は、洗髪用水タンク、汚水溜タンク及びシャンプボールを台車に備えるとともに、シャンプボールを昇降及び水平面内で揺動できるようにし、さらに必要に応じて、シャンプボールを取り外すことができるようにしていた（例えば、実公平３−５０８０６号公報参照）。
【０００３】
そして、この洗髪車は、患者の洗髪に際して、洗髪車をベットの近傍に設置し、動かすことができる患者の場合には、ベットの高さ等に合わせてシャンプボールを昇降及び水平面内で揺動させて、患者の頭部をシャンプボール上に位置させて、例えば、バックシャンプにより洗髪するようにし、また、動かすことができない患者の場合には、シャンプボールを洗髪車から取り外してベット上に置いて、同様に、バックシャンプにより洗髪するようにしていた。
【０００４】
【発明が解決しようとする課題】
ところで、上記従来の洗髪車においては、洗髪用水タンク、汚水溜タンク等に、ステンレススチール等の板金製のものや合成樹脂製のものの場合には真空成形等により成形した２つの部材を貼り合わせて形成したものが用いられているため、接合部に多くの凹凸があって、衛生状態を良好に維持することが困難なだけでなく、製造、特に、シール工程等に手数を要し、製造コストが高くなるとともに、重量的にも重くなり、また、接合部より水漏れを起こす（この場合、汚水が病院内に漏れ出し、床面等を汚すことになる。）おそれがある等、取り扱いにくいという問題があった。
また、シャンプボールは昇降及び水平面内で揺動できるように構成されてはいるが、例えば、実公平３−５０８０６号公報に記載のものでは、逆Ｕ字形の摺動桿にＬ字形の係止部を形成し、この係止部にシャンプボールに形成したリング状被係止部を引っ掛けるようにして支持することにより、逆Ｕ字形の摺動桿及びＬ字形の係止部の２箇所を中心としてシャンプボールを水平面内で揺動するようにしているため、シャンプボールに大きな荷重がかかるバックシャンプにより洗髪を行った場合、シャンプボールの支持が不安定となり、患者に対して不安感を与えるという問題があった。
また、逆Ｕ字形の摺動桿及びＬ字形の係止部の２箇所を中心としてシャンプボールを水平面内で揺動させることにより、シャンプボールを洗髪に適した位置に設置する調整、特に、微調整に手数を要するという問題があった。
さらに、Ｌ字形の係止部にシャンプボールに形成したリング状被係止部を引っ掛けるようにしているため、使用時に取り外したシャンプボールを、使用後再び取り付けるのに手数を要するという問題があった。
【０００５】
本発明は、上記従来の洗髪車の有する問題点に鑑み、衛生状態を良好に維持することができるとともに、製造コストを低廉にでき、さらに、取り扱いやすい洗髪車を提供することを第１の目的とする。
また、併せて、本発明は、シャンプボールを洗髪に適した位置に、容易に、かつ、安定して支持することができるとともに、シャンプボールの着脱を容易に行うことができるようにした洗髪車を提供することを第２の目的とする。
【０００６】
【課題を解決するための手段】
上記第１及び第２の目的を達成するため、本発明の洗髪車は、洗髪用水タンク、汚水溜タンク、シャンプボール保持具及びシャンプボールを台車に備えた洗髪車において、洗髪用水タンク、汚水溜タンク及びシャンプボールを、それぞれ合成樹脂で以て回転成形又はブロー成形にて一体成形したもので構成し、シャンプボール保持具を、台車に水平に設けた角パイプで以て構成したガイドレールに横方向に移動可能に嵌挿支持した保持具と、該保持具に高さ調整可能に固定するようにした両脚部を備えた逆Ｕ字形の昇降フレームと、該昇降フレームの両脚部の下部位置に固定し、シャンプボールの外壁の外径より小径に形成したスカート部を旋回及び取り外し可能に保持する環状のシャンプボール受けとで構成したことを特徴とする。
【０００７】
この洗髪車は、洗髪用水タンク、汚水溜タンク及びシャンプボールを、接合部のない部材で以て構成することができ、洗浄を容易に行うことができることと相俟って、衛生状態を良好に維持することができ、また、製造が容易で、製造コストを低廉にでき、さらに、重量的にも軽くすることができ、取扱性を向上することができる。
【０００８】
また、シャンプボールの横方向の移動、昇降及び旋回並びに取り外しの各動作をそれぞれ独立して行うことができるので、シャンプボールを洗髪に適した位置に、容易に、かつ、安定して支持することができる。
また、環状のシャンプボール受けは、シャンプボールを単にはめ込むように載置するのみで、シャンプボールを旋回及び取り外し可能に保持することができ、シャンプボールの取り外し及び取り付けを容易に行うことができる。
【０００９】
この場合において、台車を、下部にキャスターを備えたハンドル兼用の本体フレームと、下部にキャスターを備え、内部に汚水溜タンクを一体に形成した外装フレームとで構成することができる。
【００１０】
これにより、本体フレームに外装フレームを取り付けることにより台車を簡単に組み立てて構成することができ、また、台車の一層の軽量化を図ることができる。
【００１１】
また、シャンプボールに傾倒防止用のステーをシャンプボールのスカート部に出納可能に配設することができる。
【００１２】
これにより、シャンプボールを洗髪車のシャンプボール受けから取り外してベット上に置いても、安定して洗髪することができる。
【００１３】
【発明の実施の形態】
以下、本発明の洗髪車の実施の形態を図面に基づいて説明する。
【００１４】
図１〜図１７は、本発明の洗髪車の一実施例を示す。
【００１５】
この洗髪車は、下部にキャスター取付板Ｆａを介してキャスターＷを備えたハンドルＨ兼用の本体フレームＦと、下部にキャスターＷａを備え、内部に汚水溜タンクＴａを一体に形成した外装フレームＫとで台車Ａを構成し、本体フレームＦにシャンプボールＳを保持するシャンプボール保持具１を取り付けるとともに、外装フレームＫに洗髪用水タンクＴを取り付けて構成するようにしている。
【００１６】
このうち、ハンドルを兼ねた本体フレームＦは、金属製パイプで以て構成し、図８に示すように、下部を外装フレームＫの一端側を載置して支持できるように水平に形成してキャスターＷを取り付け、上部を洗髪車を手押し操作することができるハンドルＨとして使用できるように形成する。
そして、中央部には、ガイドレール１１，１１ａを取り付けられるようにガイドレール取付片Ｆｂ，Ｆｂを、互いに対向して上下２段に設け、この互いに対向するガイドレール取付片Ｆｂ，Ｆｂ間にガイドレール１１，１１ａを掛け渡すようにして取り付けて、本体フレームＦの強度を増すようにするとともに、上方のガイドレール１１を利用してシャンプボールＳの保持具１２を取付可能とする。
【００１７】
また、洗髪車の台車Ａは、洗髪車をベットＢの近傍に簡単に近づけて設置することができるように、複数のキャスターＷ，Ｗ，Ｗａ，Ｗａを取り付けた手押台車形式に構成するとともに、本体フレームＦの上部位置には洗髪用水タンクＴを配設し、本体フレームＦの下部位置に配設した外装フレームＫ内に、洗髪後の汚水を貯留する汚水溜タンクＴａを一体に形成し、汚水溜タンクＴａの上方位置にシャンプボールＳの横方向の移動、昇降及び旋回並びに取り外しの各動作をそれぞれ独立して行うことができるシャンプボール保持具１を備え、シャンプボールＳと汚水溜タンクＴａとを排水管３０にて接続するようにする。
【００１８】
この排水管３０は、図５に示すように、一端側をシャンプボールＳの底部に形成した排水孔Ｓｃに、他端側を汚水溜タンクＴａの排水孔Ｔｐに接続し、洗髪後の洗浄水はシャンプボールＳの底部の排水孔Ｓｃより排水管３０を経て汚水溜タンクＴａ内へ導かれるようにする。この場合、排水管３０は、図１、図２に示すように、シャンプボールＳをシャンプボール保持具１より取り外してベッド上等に載置できるように、所定の長さと可撓性を備えたもので構成する。
【００１９】
洗髪用水タンクＴには、洗浄水供給管、ポンプＭ１、ホースを介してシャワーヘッドＳｈを接続するとともに、必要に応じて、洗髪用水を適温に加温・保温することができるように、ヒータ等の加熱手段（図示省略）を配設するようにする。
この洗髪用水タンクＴは、その形状等は特に限定されるものではないが、その一例を図１０、図１２、図１６に示すように、ポリエチレン等の合成樹脂（ＦＲＰを含む。）を用いて、少量生産時には回転成形にて、また、大量生産する場合にはブロー成形にて一体に成形するようにする。
洗髪用水タンクＴは、上部に給水口Ｔ１を、下部に外装フレームＫ内に挿入して支持できるようにした小形部Ｔ２を一体に形成し、かつ、必要に応じて、排水用のホース接続口Ｔ３を形成し、これに排水ホースＴｈを接続して排水可能に構成するようにする。
また、給水口Ｔ１には、キャップＴｃを着脱可能に冠着し、さらに、洗髪用水タンクＴを本体フレームに取り付けたとき、この給水口Ｔ１及びキャップＴｃが露出しないように開閉可能なカバーＴｄを洗髪用水タンクＴに取り付けることができる。
【００２０】
外装フレームＫは、洗髪用水タンクＴと同様に、その形状等は特に限定されるものではないが、その一例を図９、図１０、図１５に示すように、ポリエチレン等の合成樹脂（ＦＲＰを含む。）を用いて回転成形、ブロー成形にて一体に成形するようにする。
この外装フレームＫは、内部に所定容量の汚水溜タンクＴａを形成した本体部Ｋｏと、これに隣接して洗髪用水タンクＴの下部に一体に形成した小形部Ｔ２を嵌入する嵌入部Ｋｂを形成した洗髪用水タンク保持部Ｋａを一体に形成して構成する。
汚水溜タンクＴａの底部には、栓、バルブ等を備えた排水管Ｄを接続し、汚水溜タンクＴａに貯留された洗髪後の汚水を、必要に応じて、放出することができるようにする。
この汚水溜タンクＴａの容量は、洗髪用水タンクＴの容量よりも少し大きくすることにより、洗髪後の汚水が溢れるのを防止することができる。
【００２１】
また、洗髪用水タンク保持部Ｋａと本体部Ｋｏとの連接部外側に縦方向に沿って段部Ｋｃを一体に形成し、ハンドル兼用の本体フレームＦに取り付ける際、この段部Ｋｃを本体フレームＦに当接してビス止め等にて固定できるようにするとともに、洗髪用水タンク保持部Ｋａの下部Ｋｅを、本体部Ｋｏの底面より少し上方の位置となるように形成して本体フレームＦの水平部に搭載して支持できるようにする。
この下部Ｋｅの両側には図１５（Ｃ）に示すようにスカート部Ｋｆを形成することができる。
さらに、本体部Ｋｏの内部に形成した汚水溜タンクＴａには蓋Ｔｎにて閉じることができるように蓋受け用段Ｔｄを形成し、これに蓋Ｔｎを支持して蓋Ｔｎの上に、図２に示すように、排水管３０を巻回して収納できるようにする。
また、この蓋Ｔｎに排水管３０を接続する排水孔Ｔｐを形成する。
【００２２】
シャンプボールＳは、その形状等は特に限定されるものではないが、その一例を図５、図１４に示すように、洗髪用水タンクＴや外装フレームＫと同様に、ポリエチレン等の合成樹脂（ＦＲＰを含む。）を用いて回転成形、ブロー成形にて一体に成形するようにする。
このシャンプボールＳは、患者の洗髪を行いやすい大きさと形状を有し、なるべく軽量に構成するようにする。
このため、シャンプボールＳは、内壁Ｓ１と外壁Ｓ２の二重式とし、外壁Ｓ２の下部にはスカート部Ｓ４を外壁Ｓ２の外径より小径となるようにして連接し、このスカート部Ｓ４と外壁Ｓ２との連接部に段形状の保持部Ｓａを形成してシャンプボールＳを、環状のシャンプボール受け１７にて保持できるようにするとともに、内壁Ｓ１と連接される底面Ｓ３には排水管３０を接続する排水孔Ｓｃを形成するようにする。
さらに、このシャンプボールＳには、底部に傾倒防止用のステー１８を、好ましくは、シャンプボールＳに出納可能に配設することができる。このステー１８は、スカート部に形成した溝Ｓ５内に摺動可能にして嵌挿できるようにする。
【００２３】
シャンプボールＳは、図２〜図７に示すように、本体フレームＦに取り付けたシャンプボール保持具１にて着脱自在、横及び上下方向に移動可能に保持されるようにする。
このシャンプボールＳの横方向の移動、昇降及び旋回並びに取り外しの各動作をそれぞれ独立して行うことができるシャンプボール保持具１は、例えば、本体フレームＦのハンドルＨ部に水平方向に配設したガイドレール１１と、このガイドレール１１に横方向に移動可能に支持した保持具１２と、この保持具１２に高さ調整可能に固定するようにした昇降フレーム１３と、この昇降フレームに固定し、シャンプボールＳを旋回及び取り外し可能に保持する環状のシャンプボール受け１７とで構成するようにする。
【００２４】
また、シャンプボールＳには、底部に傾倒防止用のステー１８を、好ましくは、シャンプボールＳに出納可能に配設することができる。
これにより、シャンプボールＳをシャンプボール受け１７から取り外してベットＢの上に置いて洗髪を行ったとき、シャンプボールＳの片側に荷重が偏ってかかっても、シャンプボールＳの傾倒を防止することができ、安定して洗髪することができるものとなる。
なお、シャンプボールＳをベットＢの上に置いた場合、シャンプボールＳと汚水溜タンクＴａとを接続する排水管３０が邪魔とならないように、シャンプボールＳの排水部は、水平方向に向けて開口するように形成するようにする。
【００２５】
このシャンプボールＳを保持するために本体フレームＦに取り付けるようにしたシャンプボール保持具１のガイドレール１１は、保持具１２が回転することなく横方向に移動できるように、例えば、角パイプで以て構成し、ガイドレール１１に沿っての横移動を円滑に行えるように必要に応じて、保持具１２の両端部内周面に合成樹脂製のブッシュ１２ａ，１２ａを嵌挿し、ガイドレールとの滑りを良くすることができる。
これにより、保持具１２は、所定の大きさの外力を加えたとき、ガイドレール１１に沿って横方向に移動し、それ以外のときは移動しないようにする。
なお、必要に応じて、保持具１２をガイドレール１１の任意の位置で固定できるように、固定具（図示省略）を配設することもできる。
また、ガイドレール１１の長さは、シャンプボールＳが、横方向に所定距離、例えば、１００〜３００ｍｍ程度、移動調整できる長さに設定するようにする。
【００２６】
保持具１２には、逆Ｕ字形の昇降フレーム１３の両脚部を、昇降可能に支持できるようにした２個のフレーム支持具１４，１５を取り付けるようにする。
一方のフレーム支持具１４は、逆Ｕ字形の昇降フレーム１３の一方の脚部を上下方向に摺動可能に支持するもので、保持具１２に溶接等により固定するようにする。
また、他方のフレーム支持具１５は、逆Ｕ字形の昇降フレーム１３の他方の脚部を嵌挿して上下方向に摺動可能に支持するとともに、フレーム支持具１５に配設した固定用ねじ１５ａにより、昇降フレーム１３を任意の高さ位置で固定できるようにするもので、フレーム支持具１４と水平方向に所定の間隔を有して保持具１２に溶接等により固定するようにする。
【００２７】
昇降フレーム１３の両脚部の下部位置には、例えば、固定具１６を介して、シャンプボール受け１７の端部を固定して、シャンプボール受け１７を略水平になるように支持するようにする。
固定具１６は、昇降フレーム１３の両脚部の下端部にビス止め等にて固定するようにする。
このシャンプボール受け１７は、例えば、所要の強度を備えた棒材を、シャンプボールＳの外周、具体的には、シャンプボールＳの外周面に形成した段形状の保持部Ｓａを単にはめ込むように載置するのみで、シャンプボールＳを自由に旋回及び取り外し可能に保持することができるように、環状に屈曲形成するようにする。
【００２８】
また、ハンドルＨ及び昇降フレーム１３等の適宜位置には、シャワーヘッドＳｈの保持具１９ａ，１９ｂを取り付けるようにする。
【００２９】
以下、この洗髪車の使用方法を図１７に基づいて説明する。
動かすことができる患者の場合には、図１７（Ａ）に示すように、洗髪車をベットＢの近傍に設置し、患者の頭部の位置に合わせて、シャンプボール保持具１により、シャンプボールＳを、横方向の移動、昇降及び旋回させることにより、患者の頭部をシャンプボールＳ上に位置させて、例えば、バックシャンプにより洗髪するようにする。
【００３０】
また、動かすことができない患者の場合には、図１７（Ｂ）に示すように、シャンプボールＳを洗髪車のシャンプボール受け１７から取り外してベットＢ上に置いて、患者の頭部をシャンプボールＳ上に位置させて、例えば、バックシャンプにより洗髪するようにする。
このとき、シャンプボールＳの底部に配設した傾倒防止用のステー１８を引き出すことにより、シャンプボールＳの片側に荷重が偏ってかかっても、シャンプボールＳの傾倒を防止することができ、安定して洗髪することができるものとなる。
【００３１】
また、椅子に座ることができる患者の場合には、図１７（Ｃ）に示すように、洗髪車を椅子Ｃの後方に設置し、患者の頭部の位置に合わせて、シャンプボール保持具１により、シャンプボールＳを、横方向の移動、昇降及び旋回させることにより、患者の頭部をシャンプボールＳ上に位置させて、例えば、バックシャンプにより洗髪するようにする。
【００３２】
以上説明したとおり、本発明の洗髪車は、起き上がることが困難な寝たきりの入院患者や老人等の洗髪を行うために、特に好適に使用することができるが、例えば、洗髪設備のない場所で散髪を行う場合にも利用することができ、その用途は、特に限定されるものではない。
【００３３】
【発明の効果】
本発明の洗髪車によれば、洗髪用水タンク、汚水溜タンク及びシャンプボールを、接合部のない部材で以て構成することができ、洗浄を容易に行うことができることと相俟って、衛生状態を良好に維持することができ、また、製造が容易で、製造コストを低廉にでき、さらに、重量的にも軽くすることができ、また、使用中に水漏れを起こすおそれがなく、取扱性を向上することができる。
これにより、この洗髪車を用いることによって、洗髪の作業性を向上することができる。
【００３４】
また、シャンプボールの横方向の移動、昇降及び旋回並びに取り外しの各動作をそれぞれ独立して行うことができるので、シャンプボールを洗髪に適した位置に、容易に、かつ、安定して支持することができ、患者に対して不安感を与えることがない。
また、環状のシャンプボール受けは、シャンプボールを単にはめ込むように載置するのみで、シャンプボールを旋回及び取り外し可能に保持することができ、シャンプボールの取り外し及び取り付けを容易に行うことができる。
【００３５】
また、台車を、下部にキャスターを備えたハンドル兼用の本体フレームと、下部にキャスターを備え、内部に汚水溜タンクを一体に形成した外装フレームとで構成することにより、本体フレームに外装フレームを取り付けることにより台車を簡単に組み立てて構成することができ、また、台車の一層の軽量化を図ることができる。
【００３６】
また、シャンプボールに傾倒防止用のステーをシャンプボールのスカート部に出納可能に配設することにより、シャンプボールを洗髪車のシャンプボール受けから取り外してベット上に置いても、安定して洗髪することができる。
【図面の簡単な説明】
【図１】  本発明の洗髪車の一実施例を示す外観斜視図である。
【図２】  同側面断面図である。
【図３】  同シャンプボールを取り付けた状態を示す正面図である。
【図４】  同シャンプボールを取り外した状態を示す正面図である。
【図５】  同シャンプボール保持具とシャンプボールとの関係を示す分解図である。
【図６】  同シャンプボール保持具にシャンプボールを取り付ける状態を示す斜視図である。
【図７】  同シャンプボール受け具にシャンプボールを取り付けた状態を示す平面図である。
【図８】  同本体フレームの外観斜視図である。
【図９】  同外装フレームの分解した斜視図である。
【図１０】  同本体フレームと外装フレームとの組立状況を示した斜視図である。
【図１１】  同本体フレームと外装フレームとの組立順序を示した説明図である。
【図１２】  同洗髪用水タンクを示した斜視図である。
【図１３】  同髪車の底面側から見た斜視図である。
【図１４】  シャンプボールを示し、（Ａ）は図５のＡ−Ａ線の断面図、（Ｂ）は図５のＢ−Ｂ線の断面図である。
【図１５】  外装フレームを示し、（Ａ）は図９のＡ−Ａ線の断面図、（Ｂ）は図９のＢ−Ｂ線の断面図、（Ｃ）は図９のＣ−Ｃ線の断面図である。
【図１６】  洗髪用水タンクの断面図である。
【図１７】  洗髪時の説明図で、（Ａ）はベットの横で洗髪する場合を、（Ｂ）はベットの上での洗髪する場合を、（Ｃ）は椅子に座って洗髪する場合を、それぞれ示す。
【符号の説明】
Ａ    台車
Ｓ    シャンプボール
Ｓａ  保持部
Ｆ    本体フレーム
Ｔ    洗髪水用タンク
Ｔａ  汚水溜タンク
Ｋ    外装フレーム
１    シャンプボール保持具
１１  ガイドレール
１２  保持具
１３  昇降フレーム
１４  フレーム支持具
１５  フレーム支持具
１６  固定具
１７  シャンプボール受け
１８  ステー
３０  排水管
【図１】
0004237356.tif 000002
【図２】
0004237356.tif 000003
【図３】
0004237356.tif 000004
【図４】
0004237356.tif 000005
【図５】
0004237356.tif 000006
【図６】
0004237356.tif 000007
【図７】
0004237356.tif 000008
【図８】
0004237356.tif 000009
【図９】
0004237356.tif 000010
【図１０】
0004237356.tif 000011
【図１１】
0004237356.tif 000012
【図１２】
0004237356.tif 000013
【図１３】
0004237356.tif 000014
【図１４】
0004237356.tif 000015
【図１５】
0004237356.tif 000016
【図１６】
0004237356.tif 000017
【図１７】
0004237356.tif 000018